(57)【要約】【課題】コネクタのパネル等の対象物への固定をコンパクトな構成で簡易に行うことができ、しかも、コネクタから不所望に離脱することを確実に防止できるコネクタ用リテーナクリップを提供する。【解決手段】リテーナクリップ４のロック突起４ｂ、各ロック片４ｃ及び各ロック突起４ｄの先端、並びに、レセプタクルコネクタ１のロック片１ｃのロック突起係合用穴１ｃ２及び各ロック片ひっかけ部１ｃ３、ロック片１ｄの各ロック突起当接部１ｄ２に、それぞれセルフアライメント用テーパＴ１，Ｔ２，Ｔ３を形成する。レセプタクルコネクタがパネル３に仮に取り付けられた（Ｃ），（Ｅ）の状態において、リテーナクリップを若干右方向にスライドさせると、（Ｄ），（Ｆ）の固定（ロック）された状態に至る。各ロック片４ｃは、各ロック片ひっかけ部１ｃ３にそれぞれ他のセルフアライメント用テーパＴ４によってロック寸法Ｌだけ係合する。【選択図】      図６
2004311169.tif 000002
【特許請求の範囲】
【請求項１】
コネクタが対象物に固定されるときに使用されるリテーナクリップにおいて、
前記コネクタは、一対の被ロック部を有し、
前記リテーナクリップは、前記一対の被ロック部とそれぞれ係合する一対のロック部を有し、前記一対のロック部のうちの少なくとも一方は、弾性変形可能であり、
前記リテーナクリップは、まず、前記コネクタの嵌合方向に装着され、次に、前記嵌合方向と直交する方向にスライドされることによって、前記コネクタが前記対象物に固定されることを特徴とするコネクタ用リテーナクリップ。
【請求項２】
前記一対の被ロック部又は前記一対のロック部の一方にキーが設けられ、他方にキー穴が設けられ、前記リテーナクリップがスライドされる際、前記キーと前記キー穴が位置決め機能を営むことを特徴とする請求項１記載のコネクタ用リテーナクリップ。
【請求項３】
前記一対の被ロック部は、相手側コネクタの一対のロック部とそれぞれ係合し、前記コネクタと前記相手側コネクタとの嵌合がロックされることを特徴とする請求項１又は２記載のコネクタ用リテーナクリップ。
【発明の詳細な説明】
【０００１】
【発明の属する技術分野】
本発明は、コネクタをパネルや筐体等の対象物に固定するためのコネクタ用リテーナクリップに関する。
【０００２】
【従来の技術】
第１の従来の技術では、レセプタクルコネクタをパネルにねじの締め付け力によって固定する。多くのコンピュータ用Ｉ／Ｏコネクタには、この技術が採用されている。
【０００３】
第２の従来の技術では、レセプタクルコネクタをパネルにリテーナクリップによって固定する（例えば、特許文献１参照。）。この技術について、以下に図８を参照して説明する。
【０００４】
レセプタクルコネクタ３２の基部３３は、略長方形の枠状に形成され、基部３３の上部には、肩部３４が四周に向かって突出するように設けられる。また、基部３３の上部にソケット部３５が突出して設けられる。更に、ソケット部３５の長手方向の両側には、一対のラッチ板３６が配設され、各ラッチ板３６は肩部３４に固定される。更に、各ラッチ板３６の両側には、３角形状の係合部３６ａが突出するように形成される。なお、各ラッチ板３６の中央には、ラッチ開口３６ｂが形成される。
【０００５】
パネル３８の中央には、長方形の開口３８ａが形成される。
【０００６】
リテーナクリップ３１は、略長方形の枠に形成される。リテーナクリップ３１の開口３１ａの２隅には、開口３１ａの幅３１ｂ−３１ｂが狭くなるようにロックタブ３１ｃが突出して形成される。また、開口３１ａの他の２隅付近には、開口３１ａの幅３１ｂ−３１ｂが狭くなるようにロックタブ３１ｄが突出して形成される。
【０００７】
レセプタクルコネクタ３２をパネル３８に取り付ける方法を説明する。まず、レセプタクルコネクタ３２の各ラッチ板３６をパネル３８のラッチ開口３８ａの内に図示の位置から破線で示されるように挿入し、肩部３４がパネル３８の裏面に当接すると、レセプタクルコネクタ３２は停止する。次に、リテーナクリップ３１を図示の位置から破線で示されるように、すなわち、リテーナクリップ３１の開口３１ａの幅３１ｂ−３１ｂの部分が各ラッチ板３６の各係合部３６ａを通過するように、リテーナクリップ３１をパネル３８の表面に当接するまで移動させる。続いて、リテーナクリップ３１を矢印Ａ方向にパネル３８上でスライドさせると、各ロックタブ３１ｃ，３１ｄが各ラッチ板３６の各係合部３６ａの直下まで移動し、リテーナクリップ３１は停止する。この結果、レセプタクルコネクタ３２は、パネル３８に固定される。
【０００８】
【特許文献１】
米国特許第６５１３２０６号明細書（第２欄第１６行−第５９行、図１）
【０００９】
【発明が解決しようとする課題】
第１の従来の技術では、コネクタのパネルへの固定にねじが使用されるため、ねじ構造のスペースが必要とされ、また、固定作業が煩雑である。
【００１０】
第２の従来の技術では、リテーナクリップとコネクタとの間に弾力性が利用されていないため、リテーナクリップがコネクタから不所望に離脱する支障が起き易い。
【００１１】
そこで、本発明は、前記両従来の技術の欠点を改良し、コネクタのパネル等の対象物への固定をコンパクトな構成で簡易に行うことができ、しかも、コネクタから不所望に離脱することを確実に防止できるコネクタ用リテーナクリップを提供しようとするものである。
【００１２】
【課題を解決するための手段】
本発明は、前記課題を解決するため、次の手段を採用する。
【００１３】
１．コネクタが対象物（パネル３）に固定されるときに使用されるリテーナクリップにおいて、前記コネクタは、一対の被ロック部（ロック片１ｃ，１ｄ）を有し、前記リテーナクリップは、前記一対の被ロック部とそれぞれ係合する一対のロック部（ロック突起４ｂ，４ｄ，１４ｂ，１４ｄ、ロック片４ｃ，１４ｃ）を有し、前記一対のロック部のうちの少なくとも一方は、弾性変形可能であり、前記リテーナクリップは、まず、前記コネクタの嵌合方向に装着され、次に、前記嵌合方向と直交する方向にスライドされることによって、前記コネクタが前記対象物に固定されるコネクタ用リテーナクリップ。
【００１４】
２．前記一対の被ロック部又は前記一対のロック部の一方にキー（ロック突起４ｂ，１４ｂ）が設けられ、他方にキー穴（ロック突起係合用穴１ｃ２）が設けられ、前記リテーナクリップがスライドされる際、前記キーと前記キー穴が位置決め機能を営む前記１記載のコネクタ用リテーナクリップ。
【００１５】
３．前記一対の被ロック部は、相手側コネクタ（プラグコネクタ２１）の一対のロック部（ロック片２１ｃ，２１ｄ）とそれぞれ係合し、前記コネクタと前記相手側コネクタとの嵌合がロックされる前記１又は２記載のコネクタ用リテーナクリップ。
【００１６】
【発明の実施の形態】
本発明の３つの実施の形態例のコネクタ用リテーナクリップについて説明する。
【００１７】
まず、本発明の第１実施の形態例について図１〜図６を参照して説明する。
【００１８】
図１（Ａ）は、リテーナクリップが実施されたレセプタクルコネクタ１とプラグコネクタ２１との嵌合前の斜視図である。
【００１９】
図１（Ｂ）は、レセプタクルコネクタ１のパネルへの装着前の諸部材の斜視図である。レセプタクルコネクタ１は、凹所を有する直方体状の基部１ａと、基部１ａの前面に設けられるソケット部１ｂと、ソケット部１ｂの両側に配設されるように基部１ａに取り付けられる一対のロック片１ｃ，１ｄとから構成される。ガスケット２は、導電性ゴムを材料として長方形状に構成され、その中央にソケット部１ｂに挿入するためのソケット部用挿入開口２ａが設けられ、また、ソケット部用挿入開口２ａの両側にロック片１ｃ，１ｄを挿通するためのロック片用挿通開口２ｂが設けられる。パネル３には、ソケット部１ｂと各ロック片１ｃを挿通するための開口３ａが設けられる。リテーナクリップ４については、図２と図３を参照して後述する。
【００２０】
前述したガスケット２を、図１（Ｃ）に示されるように、金属材料から構成されるガスケット５に設計変更することができる。ガスケット５のソケット部用挿入開口５ａの上下両側には、ガスケット５がパネル３に弾性的に圧接するために、複数の切起し片５ｂが形成される。
【００２１】
リテーナクリップ４は、図２と図３に示されるように、長方形の枠状に構成される。リテーナクリップ４の中央には、ソケット部１ｂと各ロック片１ｃ，１ｄを挿通するための略長方形状の開口４ａが設けられ、開口４ａの左側の内縁には、パネル挟持用のロック突起（キー）４ｂが設けられ、開口４ａの上下両側の左内縁には、片持はり形状のロック片４ｃが対称的に設けられ、開口４ａの上下両側の右内縁には、パネル挟持用のロック突起４ｄが設けられる。リテーナクリップ４の上下両縁は、補強のために直角に折曲されて折曲部４ｅとなり、また、リテーナクリップ４の左右両縁は、補強と取扱いの便宜のために直角に折曲されてタブ４ｆとなる。
【００２２】
図４（Ａ）〜（Ｄ）は、レセプタクルコネクタ１の４面図である。一対のロック片１ｃ，１ｄの先端付近には、プラグコネクタ２１の一対のロック片２１ｃ，２１ｄと係合するためのロック片係合用穴１ｃ１，１ｄ１が設けられる。また、ロック片１ｃの根元付近には、リテーナクリップ４のロック突起４ｂと係合するためのパネル挟持用のロック突起係合用穴（キー穴）１ｃ２が設けられ、ロック突起係合用穴１ｃ２の上下両側縁には、各ロック片４ｃと係合するためのロック片ひっかけ部１ｃ３が設けられる。同様に、ロック片１ｄの根元付近の上下両側縁にも、リテーナクリップ４の各ロック突起４ｄと係合するためのロック突起当接部１ｄ２が設けられる。なお、レセプタクルコネクタ１は、プリント基板２０に取り付けられている。
【００２３】
レセプタクルコネクタ１のパネル３への装着とロックについて図５と図６を参照して説明する。
【００２４】
図５は、要部の概略を示す断面図である。図５（Ａ）に示される状態では、レセプタクルコネクタ１は、ガスケット２を介してパネル３に仮に取り付けられている。ステップ１では、リテーナクリップ４を矢印方向にレセプタクルコネクタ１に装着する。ステップ２では、図５（Ｂ）に示されるように、リテーナクリップ４を矢印方向に若干スライドさせると、レセプタクルコネクタ１とガスケット２は、パネル３にロックされる。
【００２５】
ステップ１とステップ２における要部の詳細は、図６（Ａ）〜（Ｆ）の諸図に示される。図６（Ｅ）に示されるように、リテーナクリップ４のロック突起４ｂ、各ロック片４ｃ及び各ロック突起４ｄの先端にそれぞれセラフアライメント用テーパＴ１，Ｔ２，Ｔ３を形成する。これらのセラフアライメント用テーパＴ１，Ｔ２，Ｔ３に対応して、レセプタクルコネクタ１のロック片１ｃのロック突起係合用穴１ｃ２及び各ロック片ひっかけ部１ｃ３並びにロック片１ｄの各ロック突起当接部１ｄ２にそれぞれセルフアライメント用テーパＴ１，Ｔ２，Ｔ３を形成する。
【００２６】
図６（Ｃ）に示されるレセプタクルコネクタ１がパネル３に仮に取り付けられた状態において、リテーナクリップ４を若干右方向にスライドさせると、図６（Ｄ）に示されるレセプタクルコネクタ１がパネル３に固定（ロック）された状態に至る。この状態の推移を図６（Ｅ）と図６（Ｆ）を参照して説明する。
【００２７】
ロック突起（キーの役割を営む。）４ｂの各セルフアライメント用テーパＴ１がロック突起係合用穴（キー穴の役割を営む。）１ｃ２の各セルフアライメント用テーパＴ１にガイドされて、ロック突起４ｂはロック突起係合用穴１ｃ２内に進入する。この結果、レセプタクルコネクタ１の左側は、パネル３から嵌合方向（図１参照）に離間することを防止される。
【００２８】
各ロック片４ｃのセルフアライメント用テーパＴ２が各ロック片ひっかけ部１ｃ３のセルフアライメント用テーパＴ２にガイドされて、各ロック片４ｃの他のセルフアライメント用テーパＴ４は各ロック片ひっかけ部１ｃ３の他のセルフアライメント用テーパＴ４に図６（Ｆ）においてロック寸法Ｌだけ係合する。この結果、リテーナクリップ４は、左方向にスライドすることを防止される。ただし、各ロック片４ｃは、弾性変形可能であるため、所定以上の力を与えられると、各ロック片ひっかけ部１ｃ３から離脱するので、リテーナクリップ４は、左方向にスライドすることができる。
【００２９】
各ロック突起４ｄのセルフアライメント用テーパＴ３が各ロック突起当接部１ｄ２のセルフアライメント用テーパＴ３にガイドされて、各ロック突起４ｄは各ロック突起当接部１ｄ２に当接する。この結果、レセプタクルコネクタ１の右側は、パネル３から嵌合方向（図１参照）に離間することを防止される。
【００３０】
次に、本発明の第２実施の形態例について図７を参照して説明する。第２実施の形態例についての説明は、第１実施の形態例と同様な点の説明を省略し、相違する点の説明のみを行う。
【００３１】
第２実施の形態例のリテーナクリップ１４は、図７（Ｂ）に示されるように、第１実施の形態例のリテーナクリップ４から斜線を引いた部分（ハッチングした部分）を削除したものである。すなわち、リテーナクリップ１４は、実質上リテーナクリップ４から下側のロック片４ｃを削除したものであり、ロック突起１４ｂ、上側のロック片１４ｃ及び右側上下のロック突起１４ｄを有する。
【００３２】
両実施の形態例においては、リテーナクリップ４，１４のロック片４ｃ，１４ｃが弾性変形可能であるが、パネル挟持用のロック突起４ｂ，１４ｂとロック突起４ｄ，１４ｄも弾性変形可能に設計変更することができる。
【００３３】
また、両実施の形態例においては、リテーナクリップ４，１４にロック突起（キー）４ｂ，１４ｂが設けられ、ロック片１ｃにロック突起係合用穴（キー穴）１ｃ２が設けられているが、リテーナクリップにロック突起係合用穴（キー穴）が設けられ、ロック片にロック突起が設けられるように設計変更することができる。
【００３４】
続いて、本発明の第３実施の形態例について図８を参照して説明する。第３実施の形態例についての説明は、第１実施の形態例と同様な点の説明を省略し、相違する点の説明のみを行う。
【００３５】
図８（ａ），８（ｂ）に示されるように、リテーナクリップ４のロック突起４ｂ，４ｄを曲げることによってオフセットを作製する。リテーナクリップ４は、オフセットの存在によって異なった厚さのパネル３に対応することができる。
【００３６】
本発明のリテーナクリップと従来のリテーナクリップとの操作力対比グラフを図９に示す。コネクタとパネルとの間に対して、従来のリテーナクリップは、１０乃至２０回程度繰り返して挿入抜去されると、ロックタブが摩耗するから、ガタツキが発生するので、ロック強度が低下する。したがって、その後は、従来のリテーナクリップは、使用に供することができない。これに対して、本発明のリテーナクリップは、１００回以上繰り返して挿入抜去されても、最初の操作力の３分の２程度を維持することができる。
【００３７】
【発明の効果】
以上の説明から明らかなように、本発明によれば、次の効果が、奏される。
【００３８】
１．本発明は、第１の従来の技術とは異なって、コネクタをパネル等の対象物に固定するのにねじを使用しないから、ねじ構造のスペースを必要としないので、コネクタの対象物への固定をコンパクトな構成で行うことができ、また、簡易に行うことができる。
【００３９】
２．本発明は、第２の従来の技術とは異なって、リテーナクリップの一対のロック部又はコネクタの一対の被ロック部のうちの少なくとも一方は、弾性変形可能であるため、リテーナクリップのコネクタに対する着脱を簡便に行うことができ、また、リテーナクリップがコネクタから不所望に離脱することを確実に防止できる。
【図面の簡単な説明】
【図１】本発明の第１実施の形態例のコネクタ用リテーナクリップに関する諸図であり、（Ａ）は同リテーナクリップが実施されたレセプタクルコネクタとプラグコネクタとの嵌合前の斜視図、（Ｂ）は同レセプタクルコネクタ側の分解斜視図、（Ｃ）はガスケットの一設計変更例の斜視図を、それぞれ示す。
【図２】同リテーナクリップの拡大斜視図である。
【図３】同リテーナクリップの拡大３面図であり、（Ａ）は平面図、（Ｂ）は正面図、（Ｃ）は側面図を、それぞれ示す。
【図４】同レセプタクルコネクタの拡大４面図であり、（Ａ）は平面図、（Ｂ）は正面図、（Ｃ）は左側面図、（Ｄ）は右側面図（ただし、プリント基板に取り付けられた状態）を、それぞれ示す。
【図５】同リテーナクリップによって同レセプタクルコネクタがパネルに取り付けられるステップの拡大図であり、（Ａ）は同リテーナクリップが同レセプタクルコネクタに装着されるステップ１、（Ｂ）は同リテーナクリップが同レセプタクルコネクタにロックされるステップ２を、それぞれ示す。
【図６】同リテーナクリップが同レセプタクルコネクタをロックする前後の諸図であり、（Ａ）は（Ｃ）における線Ａ−Ａによる断面図、（Ｂ）は（Ｃ）における線Ｂ−Ｂによる断面図、（Ｃ）はロック前の正面図、（Ｄ）はロック後の正面図、（Ｅ）は（Ｃ）における左右２箇所の枠内の拡大図、（Ｆ）は（Ｄ）における左右２箇所の枠内の拡大図を、それぞれ示す。
【図７】本発明の第２実施の形態例のコネクタ用リテーナクリップの諸拡大図であり、（Ａ）は平面図、（Ｂ）は正面図、（Ｃ）は側面図、（Ｄ）は斜視図を、それぞれ示す。
【図８】本発明の第３実施の形態例のオフセットされたコネクタ用リテーナクリップの断面図であり、（Ａ）はロック突起（キー）とその付近、（Ｂ）は他のロック突起とその付近を、それぞれ示す。
【図９】本発明のリテーナクリップと従来のリテーナクリップとの操作力対比グラフである。
【図１０】レセプタクルコネクタをパネルにリテーナクリップによって固定する第２の従来の技術の斜視図である。
【符号の説明】
１    レセプタクルコネクタ
１ａ    基部
１ｂ    ソケット部
１ｃ    ロック片
１ｃ１    ロック片係合用穴
１ｃ２    ロック突起係合用穴（キー穴）
１ｃ３    ロック片ひっかけ部
１ｄ    ロック片
１ｄ１    ロック片係合用穴
１ｄ２    ロック突起当接部
２    ガスケット
２ａ    ソケット部用挿入開口
２ｂ    ロック片用挿通開口
３    パネル
３ａ    開口
４    リテーナクリップ
４ａ    開口
４ｂ    ロック突起（キー）
４ｃ    ロック片
４ｄ    ロック突起
４ｅ    折曲部
４ｆ    タブ
５    ガスケット
５ａ    ソケット部用挿入開口
５ｂ    切起し片
１４    リテーナクリップ
１４ｂ    ロック突起（キー）
１４ｃ    ロック片
１４ｄ    ロック突起
２０    プリント基板
２１    プラグコネクタ
２１ｃ    ロック片
２１ｄ    ロック片
Ｌ    ロック寸法
Ｔ１〜Ｔ４    セルフアライメント用テーパ
【図１】
2004311169.tif 000003
【図２】
2004311169.tif 000004
【図３】
2004311169.tif 000005
【図４】
2004311169.tif 000006
【図５】
2004311169.tif 000007
【図６】
2004311169.tif 000008
【図７】
2004311169.tif 000009
【図８】
2004311169.tif 000010
【図９】
2004311169.tif 000011
【図１０】
2004311169.tif 000012
【手続補正書】
【提出日】平成15年9月24日(2003.9.24)
【手続補正１】
【補正対象書類名】明細書
【補正対象項目名】請求項１
【補正方法】変更
【補正の内容】
【請求項１】
コネクタが対象物に固定されるときに使用されるリテーナクリップにおいて、
前記コネクタは、嵌合部及び一対の被ロック部を有し、
前記リテーナクリップは、前記一対の被ロック部とそれぞれ係合する一対のロック部を有し、前記一対のロック部のうちの少なくとも一方は、弾性変形可能であり、
前記リテーナクリップは、まず、前記コネクタの嵌合部に嵌合方向から装着され、次に、前記嵌合方向と直交する方向にスライドされることによって、前記コネクタが前記対象物に固定されることを特徴とするコネクタ用リテーナクリップ。
【手続補正２】
【補正対象書類名】明細書
【補正対象項目名】０００３
【補正方法】変更
【補正の内容】
【０００３】
第２の従来の技術では、レセプタクルコネクタをパネルにリテーナクリップによって固定する（例えば、特許文献１参照。）。この技術について、以下に図１０を参照して説明する。


【手続補正３】
【補正対象書類名】明細書
【補正対象項目名】００１３
【補正方法】変更
【補正の内容】
【００１３】
１．コネクタが対象物（パネル３）に固定されるときに使用されるリテーナクリップにおいて、前記コネクタは、嵌合部及び一対の被ロック部（ロック片１ｃ，１ｄ）を有し、前記リテーナクリップは、前記一対の被ロック部とそれぞれ係合する一対のロック部（ロック突起４ｂ，４ｄ，１４ｂ，１４ｄ、ロック片４ｃ，１４ｃ）を有し、前記一対のロック部のうちの少なくとも一方は、弾性変形可能であり、前記リテーナクリップは、まず、前記コネクタの嵌合部に嵌合方向から装着され、次に、前記嵌合方向と直交する方向にスライドされることによって、前記コネクタが前記対象物に固定されるコネクタ用リテーナクリップ。


【手続補正４】
【補正対象書類名】明細書
【補正対象項目名】００１９
【補正方法】変更
【補正の内容】
【００１９】
図１（Ｂ）は、レセプタクルコネクタ１のパネルへの装着前の諸部材の斜視図である。レセプタクルコネクタ１は、凹所を有する直方体状の基部１ａと、基部１ａの前面に設けられるソケット部１ｂと、ソケット部１ｂの両側に配設されるように基部１ａに取り付けられる一対のロック片１ｃ，１ｄとから構成される。ガスケット２は、導電性ゴムを材料として長方形状に構成され、その中央にソケット部１ｂに挿入するためのソケット部用挿入開口２ａが設けられ、また、ソケット部用挿入開口２ａの両側にロック片１ｃ，１ｄを挿通するためのロック片用挿通開口２ａが設けられる。パネル３には、ソケット部１ｂと各ロック片１ｃ，１ｄを挿通するための開口３ａが設けられる。リテーナクリップ４については、図２と図３を参照して後述する。


【手続補正５】
【補正対象書類名】図面
【補正対象項目名】図３
【補正方法】変更
【補正の内容】
【図３】
2004311169.tif 000013
【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
コネクタが対象物に固定されるときに使用されるリテーナクリップにおいて、
前記コネクタは、嵌合部及び一対の被ロック部を有し、
前記リテーナクリップは、前記一対の被ロック部とそれぞれ係合する一対のロック部を有し、前記一対のロック部のうちの少なくとも一方は、弾性変形可能であり、
前記リテーナクリップは、まず、前記コネクタの嵌合部にコネクタの嵌合方向から装着され、次に、前記コネクタの嵌合方向と直交する方向にスライドされることによって、前記コネクタが前記対象物に固定されることを特徴とするコネクタ用リテーナクリップ。
【請求項２】
前記一対の被ロック部又は前記一対のロック部の一方にキーが設けられ、他方にキー穴が設けられ、前記リテーナクリップがスライドされる際、前記キーと前記キー穴が位置決め機能を営むことを特徴とする請求項１記載のコネクタ用リテーナクリップ。
【請求項３】
前記一対の被ロック部は、相手方コネクタの一対のロック部とそれぞれ係合し、前記コネクタと前記相手方コネクタとの嵌合がロックされることを特徴とする請求項１又は２記載のコネクタ用リテーナクリップ。
【手続補正２】
【補正対象書類名】明細書
【補正対象項目名】００１３
【補正方法】変更
【補正の内容】
【００１３】
１．コネクタが対象物（パネル３）に固定されるときに使用されるリテーナクリップ（４，１４）において、前記コネクタは、嵌合部及び一対の被ロック部（ロック片１ｃ，１ｄ）を有し、前記リテーナクリップは、前記一対の被ロック部とそれぞれ係合する一対のロック部（ロック突起４ｂ，４ｄ，１４ｂ，１４ｄ、ロック片４ｃ，１４ｃ）を有し、前記一対のロック部のうちの少なくとも一方は、弾性変形可能であり、前記リテーナクリップは、まず、前記コネクタの嵌合部にコネクタの嵌合方向から装着され、次に、前記コネクタの嵌合方向と直交する方向にスライドされることによって、前記コネクタが前記対象物に固定されるコネクタ用リテーナクリップ。